(57)【要約】【課題】浴室内の空気の循環と屋外への排気を同時に行うモードにおいて、浴室内に正負イオンを供給してカビの発生を防止する。【解決手段】ダンパー９によりファン２４の空気流を循環用通路と排気用通路の双方に流れるように切替え、ファン２４を駆動して浴室内の空気を循環させるとともに、屋外に排気しながらイオン発生装置を駆動して浴室内に正負イオンを供給する。【選択図】図１１
2008249324.tif 000002
【特許請求の範囲】
【請求項１】
浴室内に臨む空気の吸込口と、浴室内に臨む空気の吹出口と、浴室内の空気を屋外へ排気するための換気口と、前記吸込口から前記吹出口に至る循環用通路と、前記吸込口から前記換気口に至る排気用通路と、浴室内に送風又は浴室内の空気を循環する送風機と、前記循環用通路と前記排気用通路との分岐部に設けられ前記送風機の空気流を前記循環用通路と前記排気用通路のどちらか一方若しくは双方に切替えるダンパーと、前記循環用通路に設けられ正負イオンを発生するイオン発生装置とを備え、前記ダンパーにより前記送風機の空気流を前記循環用通路と前記排気用通路の双方に流れるように切替え、前記送風機を駆動して浴室内の空気を循環させるとともに、屋外に排気しながら前記イオン発生装置を駆動して浴室内に正負イオンを供給することを特徴とする浴室空調装置。
【請求項２】
浴室内に臨む空気の吸込口と、浴室内に臨む空気の吹出口と、浴室内の空気を屋外へ排気するための換気口と、前記吸込口から前記吹出口に至る循環用通路と、前記吸込口から前記換気口に至る排気用通路と、前記循環用通路に設けられた熱源と、浴室内に送風又は浴室内の空気を循環する送風機と、前記循環用通路と前記排気用通路との分岐部に設けられ前記送風機の空気流を前記循環用通路と前記排気用通路のどちらか一方若しくは双方に切替えるダンパーと、前記循環用通路に設けられ正負イオンを発生するイオン発生装置とを備え、前記ダンパーにより前記送風機の空気流を前記循環用通路と前記排気用通路の双方に流れるように切替え、前記送風機を駆動して浴室内の空気を循環させるとともに、屋外に排気しながら前記熱源及び前記イオン発生装置を駆動して浴室内に加熱空気と正負イオンを供給することを特徴とする浴室空調装置。
【請求項３】
浴室内に臨む空気の吸込口と、浴室内に臨む空気の吹出口と、浴室内の空気を屋外へ排気するための換気口と、前記吸込口から前記吹出口に至る循環用通路と、前記吸込口から前記換気口に至る排気用通路と、前記循環用通路に設けられた熱源と、浴室内に送風又は浴室内の空気を循環する送風機と、前記循環用通路と前記排気用通路との分岐部に設けられ前記送風機の空気流を前記循環用通路と前記排気用通路のどちらか一方若しくは双方に切替えるダンパーと、前記循環用通路に設けられ正負イオンを発生するイオン発生装置とを備え、前記ダンパーにより前記送風機の空気流を前記循環用通路と前記排気用通路の双方に流れるように切替え、前記送風機を駆動して浴室内の空気を循環させるとともに、屋外に排気しながら前記熱源を駆動して浴室内に加熱空気を供給し、前記熱源の停止後に前記イオン発生装置を駆動して浴室内に正負イオンを供給することを特徴とする浴室空調装置。
【発明の詳細な説明】
【技術分野】
【０００１】
本発明は、衣類及び浴室内を乾燥又は換気又は暖房するために使用される浴室空調装置に関するものである。
【背景技術】
【０００２】
近年、夫婦共稼ぎの増加におり夜間等を利用して洗濯物を室内にて乾かしたいとの要望が増大してきた。また冬場等寒い時期に浴槽の湯に浸かる前の浴室内が冷えており、入浴前の浴室を暖めておきたいという要望が増加してきている。
【０００３】
そこで、従来から衣類及び浴室内を乾燥又は換気又は暖房するための浴室空調装置が種々提案されている（例えば、特許文献１参照。）。
【０００４】
また、負イオン発生手段を内蔵し、負イオンを含んだ空気を浴室内に送風するものも知られている（例えば、特許文献２参照。）。負イオンは精神を安定させ、呼吸器の機能を高める効能を持つと言われている。
【０００５】
一方、浴室は高温多湿の空間であり、入浴後換気を行なってもしばらくは湿気が残るため、タイルや天井にカビが生え、非衛生になりやすい。そのため、浴室の清掃時に塩素系の薬剤を散布してカビを取り除かねばならず、清掃に手間を要するだけでなく、薬剤の刺激臭で気分が悪くなるという問題があった。
【０００６】
そこで、オゾン発生装置などの空間殺菌装置を浴室内に設置し、空気中に浮遊するカビの胞子を殺すことにより、タイルや天井へのカビの付着を防ぎ、カビの生えない清潔な浴室環境を実現する提案がなされている（例えば、特許文献３〜６参照。）。
【特許文献１】特開２００２−３３３１５３号公報
【特許文献２】特開２００２−１３０９４５号公報
【特許文献３】特開２００２−２５３６４７号公報
【特許文献４】特開２００２−３３３１５８号公報
【特許文献５】特開２００２−３３３１６２号公報
【特許文献６】特開２００２−１６２１０６号公報
【発明の開示】
【発明が解決しようとする課題】
【０００７】
しかしながら、オゾンガスは人間に有害な物質なので、オゾン発生装置は浴室に人が出入りしない時間帯を選んで運転させることが必要であり、処理後も残留オゾンガスが安全な濃度に低下するまで浴室に入室できないなど不都合な点が多々あった。
【０００８】
そこで、正負イオンを発生するイオン発生装置を浴室に設けて、正負イオンを浴室空間に供給して空気中の浮遊菌を不活化することにより、カビの発生を抑えることが提案されている。正負イオンは人体に無害なので、時間帯を選ばず、また人が浴室内にいるときでも安心して放出することができる。
【０００９】
正負イオン発生の原理は、誘電体が介在するように対向させた一対の電極間に家庭用交流電源などから取った交流電圧を昇圧して印加することにより、コロナ放電を起こし、空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。これらＨ+（Ｈ2Ｏ）m及びＯ2-（Ｈ2Ｏ）nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで不活化することができる。ここで、・ＯＨは活性種の１種であり、ラジカルのＯＨを示している。
【００１０】
正負のイオンは浮遊細菌の細胞表面で式（１）〜式（３）に示すように化学反応して、活性種である過酸化水素（Ｈ2Ｏ2）または水酸基ラジカル（・ＯＨ）を生成する。ここで、式（１）〜式（３）において、ｍ、ｍ'、ｎ、ｎ'は任意の自然数である。これにより、活性種の分解作用によって浮遊細菌が破壊される。従って、効率的に空気中の浮遊細菌を、不活化、除去することができる。
Ｈ+（Ｈ2Ｏ）m＋Ｏ2-（Ｈ2Ｏ）n→・ＯＨ＋１／２Ｏ2＋（ｍ＋ｎ）Ｈ2Ｏ ・・・（１）
Ｈ+（Ｈ2Ｏ）m＋Ｈ+（Ｈ2Ｏ）m'＋Ｏ2-（Ｈ2Ｏ）n＋Ｏ2-（Ｈ2Ｏ）n' → ２・ＯＨ＋Ｏ2＋（ｍ＋ｍ'＋ｎ＋ｎ'）Ｈ2Ｏ ・・・（２）
Ｈ+（Ｈ2Ｏ）m＋Ｈ+（Ｈ2Ｏ）m'＋Ｏ2-（Ｈ2Ｏ）n＋Ｏ2-（Ｈ2Ｏ）n' → Ｈ2Ｏ2＋Ｏ2＋（ｍ＋ｍ'＋ｎ＋ｎ'）Ｈ2Ｏ ・・・（３）
【００１１】
また、上記式（１）〜式（３）は、空気中の有害物質表面でも同様に作用を生じさせることができるため、活性種である過酸化水素（Ｈ2Ｏ2）または水酸基ラジカル（・ＯＨ）が、ホルムアルデヒドやアンモニアなどの化学物質を、酸化若しくは分解して、二酸化炭素や、水、窒素などの無害な物質に変換することにより、実質的に無害化することが可能である。
【００１２】
その他、正イオンと負イオンには、インフルエンザウィルス、コクサッキーウィルスなどのウィルス類も不活化する働きがあり、これらウィルスの混入による汚染が防止できる。
【００１３】
また、正イオンと負イオンには、臭いの元となる分子を分解する働きがあることも確かめられており、空間の脱臭にも利用できる。
【００１４】
したがって、この技術を浴室空調装置に利用すれば、浴室の雰囲気中のカビや菌を不活化し、浮遊菌数を一定の水準以下に抑えておくことが可能である。正負イオンには浴室のタイルや天井に付着したカビや菌を不活化する作用は小さいが、このように浮遊菌数を抑えることで、カビや菌の付着を抑えることができる。
【００１５】
本発明は、浴室内の空気の循環と屋外への排気を同時に行うモードにおいて、浴室内に正負イオンを供給してカビの発生を防止することを目的とする。
【課題を解決するための手段】
【００１６】
上記目的を達成するために本発明の浴室空調装置は、浴室内に臨む空気の吸込口と、浴室内に臨む空気の吹出口と、浴室内の空気を屋外へ排気するための換気口と、前記吸込口から前記吹出口に至る循環用通路と、前記吸込口から前記換気口に至る排気用通路と、浴室内に送風又は浴室内の空気を循環する送風機と、前記循環用通路と前記排気用通路との分岐部に設けられ前記送風機の空気流を前記循環用通路と前記排気用通路のどちらか一方若しくは双方に切替えるダンパーと、前記循環用通路に設けられ正負イオンを発生するイオン発生装置とを備え、前記ダンパーにより前記送風機の空気流を前記循環用通路と前記排気用通路の双方に流れるように切替え、前記送風機を駆動して浴室内の空気を循環させるとともに、屋外に排気しながら前記イオン発生装置を駆動して浴室内に正負イオンを供給することを特徴としている。
【００１７】
この構成によると、涼風モードにおいて浴室内に正負イオンを供給してカビの発生を防止することができる。
【００１８】
また、本発明の浴室空調装置は、浴室内に臨む空気の吸込口と、浴室内に臨む空気の吹出口と、浴室内の空気を屋外へ排気するための換気口と、前記吸込口から前記吹出口に至る循環用通路と、前記吸込口から前記換気口に至る排気用通路と、前記循環用通路に設けられた熱源と、浴室内に送風又は浴室内の空気を循環する送風機と、前記循環用通路と前記排気用通路との分岐部に設けられ前記送風機の空気流を前記循環用通路と前記排気用通路のどちらか一方若しくは双方に切替えるダンパーと、前記循環用通路に設けられ正負イオンを発生するイオン発生装置とを備え、前記ダンパーにより前記送風機の空気流を前記循環用通路と前記排気用通路の双方に流れるように切替え、前記送風機を駆動して浴室内の空気を循環させるとともに、屋外に排気しながら前記熱源及び前記イオン発生装置を駆動して浴室内に加熱空気と正負イオンを供給することを特徴としている。
【００１９】
この構成によると、乾燥モードにおいて浴室内に正負イオンを供給してカビの発生を防止することができる。
【００２０】
また、本発明の浴室空調装置は、浴室内に臨む空気の吸込口と、浴室内に臨む空気の吹出口と、浴室内の空気を屋外へ排気するための換気口と、前記吸込口から前記吹出口に至る循環用通路と、前記吸込口から前記換気口に至る排気用通路と、前記循環用通路に設けられた熱源と、浴室内に送風又は浴室内の空気を循環する送風機と、前記循環用通路と前記排気用通路との分岐部に設けられ前記送風機の空気流を前記循環用通路と前記排気用通路のどちらか一方若しくは双方に切替えるダンパーと、前記循環用通路に設けられ正負イオンを発生するイオン発生装置とを備え、前記ダンパーにより前記送風機の空気流を前記循環用通路と前記排気用通路の双方に流れるように切替え、前記送風機を駆動して浴室内の空気を循環させるとともに、屋外に排気しながら前記熱源を駆動して浴室内に加熱空気を供給し、前記熱源の停止後に前記イオン発生装置を駆動して浴室内に正負イオンを供給することを特徴としている。
【００２１】
この構成によると、乾燥モードが終了し熱源が停止した後に、イオン発生装置を駆動するので、熱源の影響を受けずに充分に正負イオンを浴室内に供給してカビの発生を防止することができる。
【発明の効果】
【００２２】
本発明によれば、浴室内の空気の循環と屋外への排気を同時に行うモード（例えば、涼風モードや乾燥モード）において、浴室内に正負イオンを供給してカビの発生を防止することができる。
【発明を実施するための最良の形態】
【００２３】
本発明の第１の実施形態について図面を参照して説明する。図１は、本発明の実施の形態に係る浴室空調装置の斜視図であり、図２は、浴室への取り付け状態を示す模式図である。この浴室空調装置１は、天井板２の開口部３の内部に装着する本体４と、天井板２の下方に位置するように本体４に取り付けられるパネル５とによって大略構成される。天井板２の開口部３は、パネル５が浴室１１内部の浴槽１２の上に位置するように形成されている。
【００２４】
パネル５中央には、幅の異なる窓状の開口部が左右に並んで２つ設けられている。つまり、左側に幅の広い吸込口６が形成され、右側に幅の狭い吹出口７が形成されている。そして、吸込口６の幅方向に並んで６枚のルーバ１０Ａが設けられ、吹出口７の幅方向に並んで３枚のルーバ１０Ｂが設けられている。ルーバ１０Ａとルーバ１０Ｂは、セットで別々に動作させることが可能であり、ルーバ１０Ａ，１０Ｂの傾きによって、吸込口６と吹出口７を完全に閉じたり、浴室１１内から本体４内に吸い込まれる空気の流れや吹出口７を通過して浴室１１内に吹き出される空気の流れを所定の方向に固定したり、広範囲にスイングさせたりすることができる。
【００２５】
浴槽１２の隣は洗い場１３であり、天井板２の洗い場１３の上方に位置する部分には点検口１５及び蓋１６が設けられている。ドア１７には通風口となるガラリ１８が形成されている。浴室１１の外側の壁面には浴室空調装置１のコントローラ１９及び配電盤２０が配置されており、コントローラ１９及び配電盤２０は浴室空調装置１に電力線及び制御線によりそれぞれ接続されている。また、本体４は排気ダクト２１，２２に接続されており、本体４にて吸引した浴室１１の空気を屋外に排気できるようになっている。
【００２６】
図３は、浴室空調装置１の概略断面図である。本体４内の上部左方には、水平方向に回転する軸流式のファン２４が設けられている。ファン２４は、本体４上面の外側に設けられたファンモータ２５の軸に固定されている。さらに、本体４内は、ファンケーシングを兼ねる間仕切り部材２７により、下部左方の部屋２８と、上部及び右方の部屋２９とに仕切られている。間仕切り部材２７は、ファン２４の下面と向かい合う部分が部屋２７に臨む導入開口部２７Ａとして、パネル５の吹出口７に向かい合う部分が排出開口部２７Ｂとしてそれぞれ筒状に形成されている。パネル５の吸込口６を介して浴室１１内と部屋２８とが連通し、導入開口部２７Ａを介して部屋２８，２９が連通し、排出開口部２７Ｂの下流端に重なる吹出口７を介して部屋２９と浴室１１内とが連通している。部屋２８はファン２４の上流域、部屋２９はファン２４の下流域となる。
【００２７】
本体４内には、吸込口６から部屋２８，２９を経て吹出口７へ至る循環用通路と、吸込口６から部屋２８，２９を経て換気口８へ至る排気用通路とが形成される。循環用通路と排気用通路との分岐部には、ファン２４の空気流をどちらか一方若しくは双方に切り替えるダンパー９が設けられている。
【００２８】
部屋２９のダンパー９より下流側に位置する循環用通路、すなわち導入開口部２７Ｂ内に、セラミックヒータ３０等の加熱手段による熱源が設けられている。なお、浴室空調装置１の熱源は、種々多様であり、電気式に限られるものではない。セラミックヒータ３０のさらに下流側には、正負イオンを発生するイオン発生装置２３が設けられている。なお、イオン発生装置２３の設置位置は、セラミックヒータ３０の上流側でもよい。部屋２９のダンパー９よりも上流側には、湿度センサー３１が設けられている。
【００２９】
図６は、浴室空調装置１の制御ブロック図を示している。マイコンから成る制御部３２は配電盤２０に接続され電源の供給を受けて、ファン２４の回転数、ダンパー９の位置、ルーバ１０Ａ，１０Ｂの傾きやスイング、セラミックヒータ３０やイオン発生装置２３への通電を制御する。従って、これらの動作をコントローラ１９を使って個別に制御することにより、さまざまな運転モード（空調モード）が実現される。代表的な運転モードには、暖房、換気、涼風、乾燥という４つがある。また、制御部３２は時間を計測するタイマー３３を内蔵しており、使用者は所定の時刻に電源が入る入タイマーと電源が切れる切タイマーを切り替えて作動させることができる。
【００３０】
図７は、コントローラ１９の平面図である。コントローラ１９正面の上側の部分には、時刻や運転状態などの液晶表示を行う表示部３４が形成されている。表示部３４の下には、各種のボタンが配置されている。すなわち、停止ボタン３５は運転を停止するとき、暖房ボタン３６は暖房モードで浴室１１を暖房するとき、乾燥ボタン３７は乾燥モードで衣類を乾燥するとき、涼風ボタン３８は涼風モードで扇風機として使用するとき、換気ボタン３９は換気モードで浴室１１を乾燥するとき、タイマーボタン４０はタイマー時間を増減するときにそれぞれ使用する。また、コントローラ１９正面の右下には、イオン発生装置２３から正負イオンが発生しているときに点灯するクラスターイオンランプ４１、イオン発生装置２３から負イオンが発生しているときに点灯するマイナスイオンランプ４２、イオン発生装置２３の駆動が停止されているときに点灯するイオン発生停止中ランプ４３が縦に並んで配置されている。これらのランプはＬＥＤから構成されている。
【００３１】
次に、浴室空調装置１の各運転モードについて図３〜図５を参照して説明する。暖房モードは、寒い冬の時期に浴室１１を入浴前に暖めておく運転モードであり、このモードが選択されると、制御部３２は、図３に示すように、ダンパー９によって換気口８を閉じてファンモータ２５を駆動することにより、ファン２４の空気流を循環用通路に切換え、矢印Ａのように浴室１１内の空気を循環させる。さらに、セラミックヒータ３０に通電される。セラミックヒータ３０で加熱された空気は浴室１１内に送られ、浴室１１内の温度が上昇する。これにより、入浴前後の急激な温度変化による血圧上昇や不快感を防ぐことができる。
【００３２】
換気モードは、強力な換気機能で浴室１１を乾燥させる運転モードであり、このモードが選択されると、制御部３２は、図４に示すように、ダンパー９によって空気排出部２７Ａの入口を閉じてファンモータ２５を駆動することにより、ファン２４の空気流を排気用通路に切換え、矢印Ｂのように浴室１１内の空気を屋外に排気する。このとき、セラミックヒータ３０には通電しない。浴室１１内の湿った空気は、屋外に排気され、浴室１１内が乾燥する。なお、イオン発生装置２３を任意で駆動してもよく、この場合は、正負イオンがダクト２１内に送られ、ダクト２１内に浮遊するカビや雑菌が不活化される、ダクト２１内にカビが発生するのを防止することができる。
【００３３】
涼風モードは、夏場など蒸し暑い時期の入浴中に浴室空調装置１を扇風機として使用するモードであり、このモードが選択されると制御部３２は、図５に示すように、ダンパー９を中間の位置に固定してファンモータ２５を駆動することにより、ファン２４の空気流が循環用通路と排気用通路の双方に流れるように切換え、矢印Ａのように浴室１１内の空気を循環させるとともに、矢印Ｂのように一部を屋外に排気する。このとき、セラミックヒータ３０には通電しない。これにより、浴室１１内にゆるやかに送風され、入浴者は涼むことができる。この涼風モードにおいて、イオン発生装置２３に通電させ、正負イオンを発生させることも可能であり、セラミックヒータ３０等の熱源による熱の影響を受けずに充分に正負イオンを浴室１１内に供給できる。
【００３４】
乾燥モードは、浴室１１に衣類などの洗濯物を吊るして乾燥させる運転モードであり、このモードが選択されると、制御部３２は、上記涼風モードと同様、図５のように、ファン２４の空気流が循環用通路と排気用通路の双方に流れるように切換える。さらに、セラミックヒータ３０とイオン発生装置２３に通電される。セラミックヒータ３０で加熱された空気は浴室１１内に送られ、浴室１１内の温度が上昇する。洗濯物から蒸発した水分は、屋外に排気され、洗濯物が乾燥する。また、イオン発生装置２３から発生した正負イオンが浴室１１内に送られ、浴室１１内に浮遊するカビや雑菌が不活化されるので、浴室１１や洗濯物にカビが発生するのを防止することができる。乾燥モード時に正負イオンの発生を行ったが、乾燥モード等の終了後にセラミックヒータ３０の通電をオフして、浴室１１内に正負イオンを発生させると、セラミックヒータ３０等の熱源による熱の影響を受けずに充分に正負イオンを浴室１１内に供給でき、より効果的である。
【００３５】
この入浴後や暖房、乾燥モードの運転後などは、浴室空調装置１内の循環用通路は浴室１１内の湿気により湿度が上昇しているため、放置しているとカビが発生しやすくなるが、本発明では浴室空調装置１内の除菌・乾燥を行うことにより、カビの発生を防止する。そこで、浴室空調装置１内の除菌・乾燥モードについて説明する。
【００３６】
図８は浴室空調装置１内の除菌・乾燥モードの一例のフローチャートである。ステップ＃１で、制御部３２が上記乾燥モードの終了を検知すると、ステップ＃２でタイマー３３が作動する。ステップ＃３で図９のようにルーバ１０Ａ，１０Ｂを閉じて、浴室空調装置１内の循環用通路を短絡した状態で、ステップ＃４でファン２４を駆動するとともに、ステップ＃５，＃６でセラミックヒータ３０とイオン発生装置２３にそれぞれ通電する。これにより、イオン発生装置２３から発生した正負イオンを含む温風が浴室空調装置１内の循環用通路を図９の矢印Ｃのように循環し、浴室空調装置１内が乾燥するとともに、浮遊するカビや雑菌が不活化されるので、浴室空調装置１内にカビが発生するのを防止することができる。
【００３７】
図１０は、浴室空調装置１内の除菌・乾燥モードの他の例のフローチャートであり、浴室空調装置１内の除菌・乾燥モードの運転終了を時間ではなく、雰囲気の湿度に基づいて行うようにしたものである。ステップ＃１１で、制御部３２が上記乾燥モードの終了を検知すると、ステップ＃１２で湿度センサー３１が作動する。そして、ステップ＃１２〜＃１６で、図８のステップ＃２〜＃６と同様に浴室空調装置１内の除菌・乾燥モードの運転を行う。湿度センサー３１が検出した循環用通路の湿度は制御部３２に出力され、制御部３２は、ステップ＃１７でこれを所定の基準値と比較し、それよりも湿度が小さくなったと判断すると、ステップ＃１８，＃１９でセラミックヒータ３０とイオン発生装置２３への通電をオフした後、ステップ＃２０でファン２４の駆動を停止する。この例によると、カビの発生と湿度の相関からより現実的な除菌・乾燥が達成できる。
【００３８】
以上の説明では、浴室空調装置１内の除菌・乾燥モードとして、セラミックヒータ３０等の熱源へ通電し温風を用いたが、熱源を使用せず、イオン発生装置２３から正負イオンを発生させ、装置内を正負イオンを含んだ空気で循環させる除菌モードとすることも可能である。なお、浴室空調装置１内の除菌・乾燥モードや除菌モードは単独のモードとして設けてもよく、各種空調モード後に行うようにしてもよい。また、最初に温風を循環させて、イオン発生装置２３の放電面２３Ａを乾燥させ、その後、正負イオンを含んだ空気を循環させて除菌運転を行うようにしてもよい。
【００３９】
また、浴室空調装置１を使用していない場合でも、浴槽１２に張った水が蒸発したりして浴室１１内の湿度は上昇し、カビの発生が考えられる。したがって、湿度センサー３１だけは作動させ、常に浴室１１内又は浴室空調装置１内の湿度を検出し、湿度が適正値を超えた場合には、浴室空調装置１内の除菌・乾燥モードの運転を行うようにしてもよい。この場合、ルーバ１０Ａ，１０Ｂは所定の時間で開閉を交互に繰り返すことで、浴室１１内と浴室空調装置１内の双方の除菌・乾燥が行なえる。
【００４０】
以上、浴室１１内の空気を循環させるための循環手段と浴室１１内の空気を屋外に排気するための換気手段とを備えた浴室空調装置１を例に説明したが、発明の要旨を変更しない範囲で実施形式の変更が可能である。例えば、換気手段を有さない浴室暖房装置にも本発明は適用可能である。
【００４１】
本発明の第２の実施形態について図面を参照して説明する。この実施形態は、イオン発生装置２３を可動式にして、装置内の除菌・乾燥モードの運転時にイオン発生部が循環用通路の上流部に移動させるものである。以下、具体例を説明する。
【００４２】
図１１は、第２の実施形態に係る浴室空調装置の横断面図である。第１の実施形態と共通の部分には同一符号を付している。イオン発生装置２３は、間仕切り部材２７の排出開口部２７Ｂの下端部に回転可能に取り付けられていて、図１１（Ａ）のように、循環用通路の下流端部で空気流に直交する位置と、図１１（Ｂ）のように、循環用通路の上流端部で空気流に直交する位置の２つの姿勢を１８０°回転によってとることができるようになっている。
【００４３】
このように構成された浴室空調装置１においては、衣類乾燥、涼風、暖房、浴室乾燥の通常の運転モードでは、イオン発生装置２３は図１１（Ａ）の位置に固定されていて、浴室空調装置１内の除菌・乾燥モードに入ると、図１１（Ｂ）の位置に回転して移動する動作が行われる。この浴室空調装置１内の除菌・乾燥運転モードは、第１の実施形態（図８、図１０）と同様に実行される。
【図面の簡単な説明】
【００４４】
【図１】本発明の第１の実施形態に係る浴室空調装置の一例を示す斜視図である。
【図２】浴室に浴室空調装置を設置した様子を示す模式図である。
【図３】暖房モードにおける浴室空調装置の概略断面図である。
【図４】換気モードにおける浴室空調装置の概略断面図である。
【図５】涼風モード及び乾燥モードにおける浴室空調装置の概略断面図である。
【図６】浴室空調装置の簡単な制御ブロック図である。
【図７】コントローラの平面図である。
【図８】浴室空調装置内の除菌・乾燥モードの制御フローチャートの一例を示している。
【図９】浴室空調装置内の除菌・乾燥モードにおける浴室空調装置の概略断面図である。
【図１０】浴室空調装置内の除菌・乾燥モードの制御フローチャートの他の例を示している。
【図１１】本発明の第２の実施形態に係る浴室空調装置の乾燥モード（Ａ）と浴室空調装置内の除菌・乾燥モード（Ｂ）における浴室空調装置の概略断面図である。
【符号の説明】
【００４５】
１    浴室空調装置
４    本体
５    パネル
６    吸込口
７    吹出口
８    換気口
９    ダンパー
１０Ａ，１０Ｂ  ルーバ
１１  浴室
２３  イオン発生装置
２３Ａ  放電面
３０  セラミックヒータ
３１  湿度センサー
【図１】
2008249324.tif 000003
【図２】
2008249324.tif 000004
【図３】
2008249324.tif 000005
【図４】
2008249324.tif 000006
【図５】
2008249324.tif 000007
【図６】
2008249324.tif 000008
【図７】
2008249324.tif 000009
【図８】
2008249324.tif 000010
【図９】
2008249324.tif 000011
【図１０】
2008249324.tif 000012
【図１１】
2008249324.tif 000013